(57)【要約】【課題】弱電界やマルチパスによる干渉により誤ったパターンにより同期を捕捉した場合に再同期までの時間を短くする。【解決手段】受信ビットカウンタ６が満了すると、１スロット分のデータが受信データ用バッファ４に入力され、受信データ用バッファ４のデータのうち、１スロット分のデータがデータ処理部８に転送される。受信データ用バッファ部４より１スロット分のデータがデータ処理部８に転送されると、データ処理部８にてデータ処理が行われ、真の同期か誤同期かの判別が行われる。真の同期であると判別されるとステップＢ６に進み、スロットのデータ処理が行われる。誤同期と判別されるとステップＢ７では、受信ビットカウンタ６は１番目の受信ビットカウンタから２番目のビットカウンタに第２切替部９により切り替えられる。【選択図】          図１
2004193758.tif 000002
【特許請求の範囲】
【請求項１】
ディジタル変調信号を受信する受信手段と、
前記ディジタル変調信号をディジタル信号に復調する復調手段と、
復調データを格納する受信バッファと、
該受信バッファに格納された復調データのビット列より同期を検出する同期検出手段と、
同期が検出された場合に前記受信バッファの同期位置を特定するための複数のカウンタと、
同期が検出された場合に順に他のカウンタに切り替える第１の切替手段と、
同期検出されて前記受信バッファに格納された復調データからビット列の誤りを検出して、同期の真偽を検出する真偽検出手段と、
前記真偽検出手段により同期が偽と検出された場合に、順に他のカウンタに切り替えて同期データを得る第２の切替手段とを有する特徴とする移動体通信装置。
【発明の詳細な説明】
【０００１】
【発明の属する技術分野】
本発明は、ディジタル変調信号を受信して、同期信号を補足する移動体通信装置に関し、特に時分割多次元接続方式のディジタル無線通信に好適である。
【０００２】
【従来の技術】
時分割多次元接続方式のディジタル無線通信では、１つの基地局と複数の従局との間に時分割で分離される複数の無線回線を形成する。信号の送受信の基本周期をフレームと呼び、このフレームを複数個のブロックに分割し、各従局の無線回線に使用する。この分割したブロックをタイムスロットと呼ぶ。各従局は、このタイムスロットを使って基地局と送受信を行う。
【０００３】
各従局は自局のタイミングを知る為に、受信信号列から特定の同期パターンの検出する必要がある。同期パターンの検出は受信信号列と自局の所定同期パターンとをビット毎に比較し、不一致ビット数が一定数（相関しきい値）以下であれば、同期信号が検出されたと見なされる。
【０００４】
また、上述の同期パターンが複数フレームにわたって所定回数（後方保護段数）連続して検出された時点で同期が確立したとみなされる。また、同期が確立している状態において、同期パターンが複数フレームにわたって所定回数（前方保護段数）連続して検出されない場合、同期が失われたと見なされる。
【０００５】
例えば、特許文献１によれば、上述の同期が確立するのが困難になったり、同期が失われやすくなるのを防止する為に、相関しきい値を受信信号のレベルもしくは復調されたディジタル信号のビット誤り率にもとづいて設定する事により同期パターンが検出され難くなるのを防止している。
【０００６】
【特許文献１】
特開平５−３２７６８８号公報
【０００７】
【発明が解決しようとする課題】
ところが、上述のような同期確立方法では弱電界やマルチパスによる干渉により誤ったパターンにより同期を捕捉する場合がある。誤った同期を補足した場合、再同期の為に時間を要したり、回線を切断する場合がある。
【０００８】
本発明は、弱電界やマルチパスによる干渉により誤ったパターンにより同期を捕捉した場合に再同期までの時間を短くする移動体通信装置を提供することを目的とする。
【０００９】
【課題を解決するための手段】
本発明は、ディジタル変調信号を受信する受信手段と、前記ディジタル変調信号をディジタル信号に復調する復調手段と、復調データを格納する受信バッファと、該受信バッファに格納された復調データのビット列より同期を検出する同期検出手段と、同期が検出された場合に前記受信バッファの同期位置を特定するための複数のカウンタと、同期が検出された場合に順に他のカウンタに切り替える第１の切替手段と、同期検出されて前記受信バッファに格納された復調データからビット列の誤りを検出して、同期の真偽を検出する真偽検出手段と、前記真偽検出手段により同期が偽と検出された場合に、順に他のカウンタに切り替えて同期データを得る第２の切替手段とを有する特徴とする。
【００１０】
以下に本発明の実施の形態について図面を参照しながら説明する。
図１は本発明の構成を示す移動体通信装置の受信部分のブロック図である。
【００１１】
この移動体通信装置は、以下に述べたような構成を有する。すなわち、１はアンテナ、２はアンテナ１からの受信信号を処理する受信部、３は受信部２にて受信処理されたディジタル変調信号を復調する復調部である。４は復調部３にて復調されたディジタル信号が入力される受信データ用バッファである。５は受信データと同期パターンを比較し同期を検出する同期検出部である。
【００１２】
６は同期検出部５にて同期を検出した場合に受信データ用バッファ４の同期位置を特定する為の受信ビットカウンタである。７は第１切替部であり、同期検出部５により同期が検出された場合にスタートする受信ビットカウンタ６を切り替える。８はデータ処理部であり、同期検出部５にて検出した同期により受信データ用バッファ４より転送されたデータを処理し真の同期か誤同期かを検出するデータ処理部である。９はデータ処理部８により誤同期が検出された場合に受信データ用バッファ４の同期位置を特定している受信ビットカウンタ６のカウンタを切り替える為の第２切替部である。
【００１３】
次に本発明の移動体通信装置の動作を図２及び図３のフローチャートに従って説明する。
【００１４】
図２は、同期信号検出の動作についてのフローチャートである。ステップＡ１にて、受信処理が始まるとまず、受信ビットカウンタへの第１切替部７および第２切替部９が「１」にセットされる。続くステップＡ２では、無線信号がアンテナ１から入力され受信部２にて受信処理される。
【００１５】
続くステップＡ３では、受信された受信信号は復調部３にて復調される。ステップＡ４では、復調されたディジタル信号は１ビット毎に受信データ用バッファ４に入力される。ステップＡ５では、受信データ用バッファ４に入力されたディジタル信号は同期検出部５とビット毎に比較され、同期が検出されなければ、再度受信データ用バッファ４に復調部３より１ビット入力され、再度同期検出部５とビット毎に比較される。
【００１６】
ステップＡ６では、同期検出部５にて同期が検出されると１番目の受信ビットカウンタ７のカウントがスタートされる。ステップＡ７では、１番目の受信ビットカウンタ６のカウントがスタートすると、第１切替部７により受信ビットカウンタ６を２番目に切り替え、ステップＡ４からの処理を繰り返す。
【００１７】
次に、検出した同期信号の真偽を確認する動作について図３のフローチャートに基づいて説明する。
図３では、ｍ番目の受信ビットカウンタ６のカウントがスタートした場合について記載されているが（ステップＢ１）、分かり易いように１番目の受信ビットカウンタ６のカウントがスタートしたとして説明する。
【００１８】
ステップＢ２にて受信ビットカウンタ６が満了すると、１スロット分のデータが受信データ用バッファ４に入力され、受信データ用バッファ４のデータのうち、ステップＢ３にて、１スロット分のデータがデータ処理部８に転送される。受信データ用バッファ部４より１スロット分のデータがデータ処理部８に転送されると、ステップＢ４にてデータ処理部８にてデータ処理が行われ、ステップＢ５にて、真の同期か誤同期かの判別が行われる。真の同期であると判別されるとステップＢ６に進み、スロットのデータ処理が行われる。
【００１９】
ステップＢ５にて、誤同期と判別されるとステップＢ７では、受信ビットカウンタ６は１番目の受信ビットカウンタから２番目のビットカウンタに第２切替部９により切り替えられる。ステップＢ８では、受信ビットカウンタ６の変更後、カウンタの値が既定の値に達するとステップＢ９に進み、このスロットについては同期はずれとして処理を終了する。カウンタの値が既定の値に達していない場合、再度ステップＢ１より処理を繰り返す。
【００２０】
【発明の効果】
以上に説明したように、本発明によれば、弱電界やマルチパスによる干渉により誤ったパターンにより同期を捕捉した場合に、それが誤同期であると判別された場合に、即、次の候補に変更する事により、同期喪失を起こり難くし、同期喪失した場合に再同期までの時間を短くする事が出来る。
【図面の簡単な説明】
【図１】本発明の移動体通信装置の構成を示すブロック図である。
【図２】移動体通信装置における同期信号検出の動作を示すフローチャートである。
【図３】移動体通信装置における検出した同期信号の真偽を確認する動作を示すフローチャートである。
【符号の説明】
１  アンテナ
２  受信部
３  復調部
４  受信データ用バッファ
５  同期検出部
６  受信ビットカウンタ
７  第１切替部
８  データ処理部
９  第２切替部
【図１】
2004193758.tif 000003
【図２】
2004193758.tif 000004
【図３】
2004193758.tif 000005